(57)【要約】【課題】  リモコン装置の交換時等に新旧両リモコン装置間で不揮発性記憶領域に記憶されたデータの転送を容易かつ確実に行い得るデータ転送方法を提供する。【解決手段】  交換により新たに熱源機本体１０接続する新リモコン装置１ａと、交換により除去される旧リモコン装置１ｂとを熱源機本体１０のリモコン接続端子１１に接続し、これにより該リモコン接続端子１１を介して新旧両リモコン装置１ａ，１ｂに熱源機本体１０から電力を供給するとともに新旧両リモコン装置１ａ，１ｂを通信接続し、この状態で、旧リモコン装置１ｂの不揮発性記憶領域に記憶されたデータを新リモコン装置１ａの不揮発性記憶領域に転送させる。【選択図】  図２
2005326085.tif 000002
【特許請求の範囲】
【請求項１】
交換または増設により熱源機に新たに接続する新リモコン装置のデータ記憶領域に、交換により除去または増設後も前記新リモコン装置と併存する旧リモコン装置のデータ記憶領域に記憶されたデータを移植する方法であって、
前記新旧両リモコン装置を熱源機のリモコン接続端子に接続し、これにより該リモコン接続端子を介して新旧両リモコン装置に熱源機から電力を供給するとともに新旧両リモコン装置を通信接続し、この状態で、旧リモコン装置のデータ記憶領域に記憶されたデータを新リモコン装置のデータ記憶領域に転送させることを特徴とするリモコン装置間データ転送方法。
【請求項２】
前記リモコン装置間のデータ転送は、旧リモコン装置のデータ記憶領域から読み出したデータを一旦新リモコン装置の１次記憶領域に記憶させ、このデータが前記１次記憶領域に記憶されている状態で所定の処理を実行し、その後に前記１次記憶領域に記憶されたデータを２次記憶領域に記憶させることを特徴とする請求項１に記載のリモコン装置間データ転送方法。
【請求項３】
前記所定の処理として、前記１次記憶領域に記憶されたデータを表示手段に表示させる手順を有することを特徴とする請求項２に記載のリモコン装置間データ転送方法。
【請求項４】
前記所定の処理として、前記１次記憶領域に記憶されたデータの修正を受け付ける手順を有することを特徴とする請求項２に記載のリモコン装置間データ転送方法。
【請求項５】
前記新リモコン装置における１次記憶領域および／または２次記憶領域へのデータの記憶は、新旧いずれかのリモコン装置における操作手段の所定操作により実行されるように設定されていることを特徴とする請求項２または３に記載のリモコン装置間データ転送方法。
【請求項６】
前記２次記憶領域は、データの電気的な消去／再書き込みが可能な不揮発性記憶装置で構成されていることを特徴とする請求項２から５のいずれかに記載のリモコン装置間データ転送方法。
【請求項７】
前記旧リモコン装置から新リモコン装置に転送されるデータには、前記熱源機で生成され、前記旧リモコン装置に記憶されたデータが含まれていることを特徴とする請求項１から６のいずれかに記載のリモコン装置間データ転送方法。
【請求項８】
少なくとも、表示手段と、操作手段と、１次記憶領域を備えた制御手段と、通信ケーブルを介して熱源機から供給される電力と通信信号とを分離する電源／信号分離手段と、２次記憶領域としてデータの消去／再書き込みが可能な不揮発性記憶手段とを備えた熱源機のリモコン装置であって、
前記制御手段は、熱源機から電力供給が開始されると、前記熱源機に他のリモコン装置が接続されていないかを確認するための接続確認信号を出力し、この信号に対する応答信号に基づいて他のリモコン装置の接続状況を確認する第１のステップと、
前記他のリモコン装置に対してデータの転送を要求する信号を出力し、前記他のリモコン装置から送信されるデータを受信して前記１次記憶領域に記憶させる第２のステップと、
前記１次記憶領域に記憶されたデータを前記２次記憶領域に記憶させる第３のステップとを有するソフトウェアを備えている
ことを特徴とする熱源機のリモコン装置。
【請求項９】
前記ソフトウェアは、前記第２のステップおよび／または第３のステップを実行する前に次のステップに進むか否かの確認を求めるステップを有していることを特徴とする請求項８に記載の熱源機のリモコン装置。
【請求項１０】
前記ソフトウェアは、前記第３のステップを実行する前に、前記操作手段により前記１次記憶領域に記憶されたデータの修正を受け付けるステップを有していることを特徴とする請求項８または９に記載の熱源機のリモコン装置。
【請求項１１】
前記ソフトウェアは、前記第３のステップを実行する前に、前記１次記憶領域に記憶したデータを前記表示手段に表示するステップを有していることを特徴とする請求項８から１０のいずれかに記載の熱源機のリモコン装置。
【発明の詳細な説明】
【技術分野】
【０００１】
この発明は、リモコン装置間データ転送方法および熱源機のリモコン装置に関し、より詳細には、交換または増設により熱源機に新たに接続するリモコン装置（以下、新リモコン装置）に、交換により除去または増設後も上記新リモコン装置と併存するリモコン装置（以下、旧リモコン装置）のデータを移植する技術に関する。
【背景技術】
【０００２】
ガス給湯器などの熱源機を備えた熱源機システムにおいては、浴室や台所などにリモコン装置を備えたものが提案されている。この種の熱源機システムでは、熱源機本体内に不揮発性の記憶領域（たとえばＥＥＰＲＯＭなどの半導体記憶装置）が設けられており、この不揮発性記憶領域に上記リモコン装置の設定データ（たとえば、リモコン装置で設定する給湯設定温度や浴槽への湯張り設定水位など）等が記憶されている。
【０００３】
そして、熱源機の動作制御やリモコン装置の表示制御（たとえば、給湯設定温度や浴槽への湯張り設定水位の表示など）にあたり、熱源機本体の制御部やリモコン装置の制御部が、上記不揮発性記憶領域に記憶されたデータを適宜読み出して、上記所定の制御を行うように構成されている。
【０００４】
そのため、従来の熱源機システムでは、交換や増設により熱源機に新たなリモコン装置を接続した場合でも、当該新リモコン装置は、熱源機本体の不揮発性記憶領域に記憶されたデータを読み出すことにより、交換等する前の旧リモコン装置の設定を引き継ぐことができた。
【特許文献１】特開平８−３２７０６１号公報
【発明の開示】
【発明が解決しようとする課題】
【０００５】
ところで、近時、この種の熱源機システムにあっては、熱源機本体の制御部において、たとえばエネルギ消費量（たとえばガス使用量）や水の使用量などを積算し、日、月、年といった所定期間毎にその積算値を求め、これらの値をリモコン装置に表示可能に構成したものが提案されている。
【０００６】
このような積算値データはデータ量が大きいため、かかる積算値データを熱源機本体の不揮発性記憶領域に記憶させようとすると熱源機本体の不揮発性記憶領域に多大の記憶容量を必要とし、熱源機本体のコストアップを招く。
【０００７】
その一方で、熱源機に接続されるリモコン装置には、浴室や台所といった設置場所の別や、インターホン機能やテレビ受像機能のような機能の有無等に応じて多くの種類が存在し、その中には上述した積算値の表示機能を有さないものも存在する。そのため、従来のように熱源機本体側の記憶領域に積算値データを記憶させる構成では、積算値の表示機能を有さないリモコン装置のみが接続されるような場合でも、熱源機本体側には積算値を記憶するための記憶領域が確保されることとなるため、当該記憶領域が無駄なものとなっていた。
【０００８】
本発明は、このような問題点に鑑みてなされたものであり、その目的とするところは、不揮発性記憶領域が設けられたリモコン装置において、リモコン装置の交換時等に新旧両リモコン装置間で不揮発性記憶領域に記憶されたデータの転送を容易かつ確実に行い得るデータ転送方法を提供するとともに、当該データ転送方法の使用に適したリモコン装置を提供することにある。
【課題を解決するための手段】
【０００９】
上記目的を達成するため、本発明の請求項１に係るリモコン装置間データ転送方法は、交換または増設により熱源機に新たに接続する新リモコン装置のデータ記憶領域に、交換により除去または増設後も上記新リモコン装置と併存する旧リモコン装置のデータ記憶領域に記憶されたデータを移植する方法であって、上記新旧両リモコン装置を熱源機のリモコン接続端子に接続し、これにより該リモコン接続端子を介して新旧両リモコン装置に熱源機から電力を供給するとともに新旧両リモコン装置を通信接続し、この状態で、旧リモコン装置のデータ記憶領域に記憶されたデータを新リモコン装置のデータ記憶領域に転送させることを特徴とする。なお、ここで「新旧両リモコン装置を熱源機のリモコン接続端子に接続」する手順には、新旧両リモコン装置に接続される通信ケーブルの双方をそれぞれ熱源機のリモコン接続端子に接続する場合の他、たとえば、熱源機のリモコン接続端子にはリモコン装置１台分の通信ケーブルのみを接続し、この通信ケーブルを分岐して、分岐後の通信ケーブルに新または旧のリモコン装置を接続するといった接続方法も含まれる。
【００１０】
また、本発明の請求項２に係る発明は、請求項１に記載のリモコン装置間データ転送方法において、上記リモコン装置間のデータ転送は、旧リモコン装置のデータ記憶領域から読み出したデータを一旦新リモコン装置の１次記憶領域に記憶させ、このデータが上記１次記憶領域に記憶されている状態で所定の処理を実行し、その後に上記１次記憶領域に記憶されたデータを２次記憶領域に記憶させることを特徴とする。
【００１１】
また、本発明の請求項３に係る発明は、請求項２に記載のリモコン装置間データ転送方法において、上記所定の処理として、上記１次記憶領域に記憶されたデータを表示手段に表示させる手順を有することを特徴とする。
【００１２】
また、本発明の請求項４に係る発明は、請求項２に記載のリモコン装置間データ転送方法において、上記所定の処理として、上記１次記憶領域に記憶されたデータの修正を受け付ける手順を有することを特徴とする。
【００１３】
また、本発明の請求項５に係る発明は、請求項２または３に記載のリモコン装置間データ転送方法において、上記新リモコン装置における１次記憶領域および／または２次記憶領域へのデータの記憶は、新旧いずれかのリモコン装置における操作手段の所定操作により実行されるように設定されていることを特徴とする。
【００１４】
また、本発明の請求項６に係る発明は、請求項２から５のいずれかに記載のリモコン装置間データ転送方法において、上記２次記憶領域は、データの電気的な消去／再書き込みが可能な不揮発性記憶装置で構成されていることを特徴とする。
【００１５】
また、本発明の請求項７に係る発明は、請求項１から６のいずれかに記載のリモコン装置間データ転送方法において、上記旧リモコン装置から新リモコン装置に転送されるデータには、上記熱源機で生成され、上記旧リモコン装置に記憶されたデータが含まれていることを特徴とする。なお、ここで「熱源機で生成され、旧リモコン装置に記憶されたデータ」には、熱源機で生成されたデータそのもの（未加工のデータ）だけでなく、熱源機で生成され、旧リモコン装置において加工・修正等された加工後のデータも含まれる。
【００１６】
また、本発明の請求項８に係る熱源機のリモコン装置は、少なくとも、表示手段と、操作手段と、１次記憶領域を備えた制御手段と、通信ケーブルを介して熱源機から供給される電力と通信信号とを分離する電源／信号分離手段と、２次記憶領域としてデータの消去／再書き込みが可能な不揮発性記憶手段とを備えた熱源機のリモコン装置であって、上記制御手段は、熱源機から電力供給が開始されると、上記熱源機に他のリモコン装置が接続されていないかを確認するための接続確認信号を出力し、この信号に対する応答信号に基づいて他のリモコン装置の接続状況を確認する第１のステップと、上記他のリモコン装置に対してデータの転送を要求する信号を出力し、上記他のリモコン装置から送信されるデータを受信して上記１次記憶領域に記憶させる第２のステップと、上記１次記憶領域に記憶されたデータを上記２次記憶領域に記憶させる第３のステップとを有するソフトウェアを備えていることを特徴とする。
【００１７】
また、本発明の請求項９に係る発明は、請求項８に記載の熱源機のリモコン装置において、上記ソフトウェアは、上記第２のステップおよび／または第３のステップを実行する前に次のステップに進むか否かの確認を求めるステップを有していることを特徴とする。
【００１８】
さらに、本発明の請求項１０に係る発明は、請求項８または９に記載の熱源機のリモコン装置において、上記ソフトウェアが、上記第３のステップを実行する前に、上記操作手段により上記１次記憶領域に記憶されたデータの修正を受け付けるステップを有していることを特徴とする。
【００１９】
また、本発明の請求項１１に係る発明は、請求項８から１０のいずれかに記載の熱源機のリモコン装置において、上記ソフトウェアが、上記第３のステップを実行する前に、上記１次記憶領域に記憶したデータを上記表示手段に表示するステップを有していることを特徴とする。
【発明の効果】
【００２０】
本発明のリモコン装置間データ転送方法によれば、交換または増設により熱源機に新たに接続する新リモコン装置と、交換により除去または増設後も新リモコン装置と併存する旧リモコン装置とを熱源機のリモコン接続端子に接続することにより、新旧両リモコン装置への電源供給と両者の通信接続（および通信接続後のデータ転送）とが同時に行われるので、データ転送のための事前準備（ケーブル接続作業）を簡単に行うことができる。したがって、たとえば、リモコン装置を交換する場合においては、旧リモコン装置を取り外して新リモコン装置を設置した後に、取り外した旧リモコン装置を熱源機本体付近に持ってゆき、これを熱源機本体のリモコン接続端子に接続するだけでデータ転送の事前準備が完了するので、リモコン装置の交換作業を効率よく行うことができる。
【００２１】
また、本発明のリモコン装置間データ転送方法によれば、リモコン装置間でのデータ転送にあたり、旧リモコン装置のデータ記憶領域から読み出したデータを一旦新リモコン装置の１次記憶領域に記憶させ、その状態で所定の処理を実行した後に上記１次記憶領域に記憶されたデータを２次記憶領域に記憶させるようにしているので、たとえば２次記憶領域に記憶させる前に、転送されたデータの内容を表示手段に表示させてその内容を確認可能にすることで、正確なデータ転送を担保することができる。また、転送されたデータを２次記憶領域に記憶させる前に、当該データの修正を受け付けることで、データの取捨選択や改変などが可能になり、新リモコン装置に適したデータを転送させることができる。
【００２２】
また、本発明のリモコン装置間データ転送方法によれば、新リモコン装置における１次記憶領域および／または２次記憶領域へのデータの記憶処理を、新旧いずれかのリモコン装置の操作手段の所定操作により実行されるように設定することで、データの転送が不要な場合や修正が必要な場合などにおいて、不要なデータが新リモコン装置の１次記憶領域や２次記憶領域に記憶されるのを防止することができる。
【００２３】
また、本発明のリモコン装置は、少なくとも、表示手段と、操作手段と、１次記憶領域を備えた制御手段と、通信ケーブルを介して熱源機から供給される電力と通信信号とを分離する電源／信号分離手段と、２次記憶領域としてデータの消去／再書き込みが可能な不揮発性記憶手段とを備えた熱源機のリモコン装置において、熱源機から電力供給が開始されると、上記制御手段が、上記熱源機に他のリモコン装置が接続されていないかを確認するための接続確認信号を出力し、この信号に対する応答信号に基づいて他のリモコン装置の接続状況を確認する第１のステップと、上記他のリモコン装置に対してデータの転送を要求する信号を出力し、上記他のリモコン装置から送信されるデータを受信して上記１次記憶領域に記憶させる第２のステップと、上記１次記憶領域に記憶されたデータを上記２次記憶領域に記憶させる第３のステップとを有するソフトウェアを備えていることから、このリモコン装置は、リモコン装置の交換時等に、新旧両リモコン装置を接続し、その状態で新リモコン装置に電力供給を開始してやれば、旧リモコン装置から新リモコン装置へのデータの転送を行うことができる。したがって、本発明によれば、上述したリモコン装置間データ転送方法の実施に適したリモコン装置を提供できる。
【発明を実施するための最良の形態】
【００２４】
実施形態１
以下、本発明の一実施形態を図面に基づいて詳細に説明する。図１は本発明に係るリモコン装置の概略構成を示すブロック図である。このリモコン装置１は熱源機本体１０（図２参照）を遠隔操作するためのリモコン装置であって、図示のごとく、通信ケーブルＬを介して熱源機本体（熱源機）１０と接続される通信インターフェイス２と、この通信インターフェイス２と接続される制御手段３と、該制御手段３と接続される表示手段４、操作手段５および記憶手段（不揮発性記憶手段）６と、上記通信インターフェイス２と接続され、リモコン装置各部に電力を供給する電源手段７とを主要部として構成されている。
【００２５】
具体的には、上記通信インターフェイス２は、２芯の通信ケーブルＬを介して熱源機本体１０から供給される電力と通信信号とを分離する電源／信号分離手段（図示せず）を備えて構成され、この通信インターフェイス２を介することによって、上記熱源機本体１０から供給を受けた電力が上記電源手段７に与えられ、また、分離された通信信号がリモコン装置１の制御手段３に与えられる。また、制御手段３から出力される通信信号はこの通信インターフェイス２を介して通信ケーブルＬに重畳される。
【００２６】
上記制御手段３は、リモコン装置各部の動作を制御するための制御装置であって、ＣＰＵ３１，ＲＯＭ３２，ＲＡＭ３３などを有するマイコンを備えて構成されている。具体的には、上記ＣＰＵ３１は、ＲＯＭ３２に記憶されたプログラムを実行する中央処理装置であり、上記ＲＯＭ３２には、リモコン装置各部の動作制御用プログラムの他、後述するデータ転送処理を実行するためのプログラムなどのソフトウェアが記憶される。また、ＲＡＭ３３は、ＣＰＵ３１での処理を実行する際にプログラムやデータを展開するための記憶領域を構成するものであって、後述するデータ転送処理の実行時には、このＲＡＭ３３が１次記憶領域を構成する。
【００２７】
上記表示手段４は、液晶パネルや蛍光管ドットマトリクスなどの表示装置で構成される。また、上記操作手段５は、たとえばリモコン装置１の本体表面に設けられた複数の操作スイッチなどで構成される。また、上記電源手段７は、上記通信インターフェイス２から供給される電力からリモコン装置１の各部（たとえば上記マイコンや表示手段４など）の駆動電源を生成する電源装置（ＤＣ−ＤＣコンバータ）を主要部として構成されている。
【００２８】
上記記憶手段６は、後述するデータ転送方法において２次記憶領域を構成するものであって、データの消去／再書き込みが可能な不揮発性記憶装置で構成される。具体的には、この記憶手段６としては、電気的にデータの消去／再書き込みが可能なＥＥＰＲＯＭが好適に用いられる。
【００２９】
また、この記憶手段６に記憶されるデータは、後述するデータ転送方法によって旧リモコン装置から新リモコン装置に転送されるものであって、たとえば、給湯設定温度や浴槽（図示せず）への湯張り設定水位などの設定データや、故障時の連絡先（たとえば、サービスセンタの電話番号）などリモコン装置１側で設定される各種設定データの他、本実施形態では、熱源機本体１０でのエネルギ消費量（たとえばガス使用量）や水の使用量などの積算値データといった熱源機本体１０側で生成されるデータも含まれる。なお、熱源機本体１０側で生成されるデータについては、上記制御手段３が熱源機本体１０との通信により熱源機本体１０側より定期的にまたは随時に取得して、リモコン装置１の制御手段３がそのままの状態で、または加工や修正を施して記憶手段６に記憶させる。
【００３０】
次に、このように構成されたリモコン装置１を交換または増設する際におけるリモコン装置間データの転送方法について図２および図３を用いて説明する。なお、以下の説明においては、便宜上、交換または増設により熱源機本体１０に新たに接続するリモコン装置を新リモコン装置１ａと称するものとし、また、交換により除去または増設後に上記新リモコン装置１ａと併存して使用されるリモコン装置を旧リモコン装置１ｂと称するものとする。また、以下においては、リモコン装置１を交換する場合を例にしてデータ転送方法を説明するものとする。
【００３１】
リモコン装置１を交換する場合、まず、交換により除去する旧リモコン装置１ｂに接続されている通信ケーブルＬを取外し、そこに交換により新たに設置する新リモコン装置１ａを接続する。そして、取り外した旧リモコン装置１ｂを、図２に示すように、別途用意する第２の通信ケーブルＬ２を用いて熱源機本体１０のリモコン接続端子１１に接続する。
【００３２】
ここで、このリモコン接続端子１１は、熱源機本体１０に備えられたリモコン接続用の端子台１２に設けられる端子であって、該端子台１２には複数のリモコン装置１の接続が可能なように複数（図示例では３個）のリモコン接続端子１１が設けられている。また、このリモコン接続端子１１は、上述したようにリモコン装置に対して電力の供給と通信信号の授受ができるように、図示しない熱源機本体１０側の電源重畳伝送用の通信インターフェイスに接続されている。そのため、このリモコン接続端子１１に新旧両リモコン装置１ａ，１ｂが接続されることにより、新旧両リモコン装置１ａ，１ｂにはそれぞれ熱源機本体１０から電力供給が開始されるとともに、新旧両リモコン装置１ａ，１ｂが相互間で通信接続される。なお、図示例では、新旧両リモコン装置１ａ，１ｂを異なるリモコン接続端子１１に接続した場合を示したが、通信ケーブルＬ，Ｌ２を同じリモコン接続端子１１に接続してもよい。
【００３３】
このようにして、新旧両リモコン装置１ａ，１ｂに電力が供給（電源投入）され、両者が通信接続されると、新リモコン装置１ａの制御手段３１は、熱源機本体１０からの電力供給開始を条件に上記ＲＯＭ３２に記憶されたデータ転送処理用のプログラムを起動する。図３はこのデータ転送処理の手順を示すフローチャートである。
【００３４】
新リモコン装置１ａに熱源機本体１０から電力供給が開始されると、新リモコン装置１ａの制御手段３は、旧リモコン装置１ｂが存在するか否かを確認する（図３ステップＳ１参照）。具体的には、新リモコン装置１ａの制御手段３は、上記熱源機１０に他のリモコン装置が接続されていないかを確認するための接続確認信号を出力し、この接続確認信号に対する応答信号に基づいて旧リモコン装置１ｂの接続状況を確認する。
【００３５】
ここで、上記接続確認信号に対する応答信号は、旧リモコン装置１ｂ側の設定によって、たとえば、単にリモコン装置の接続がある旨を返答するのみの信号で構成してもよいが、応答信号中に当該リモコン装置（旧リモコン装置１ｂ）の機種や型式を特定するための識別信号が含まれるように予め旧リモコン装置１ｂ側をプログラミングしておくのが好ましい。
【００３６】
すなわち、図示のようにリモコン装置間でデータ転送を行う際に、熱源機本体１０にはデータ転送を行う新旧両リモコン装置１ａ，１ｂのみを接続しておくのが好ましく（換言すれば、データ転送を行う新旧両リモコン装置１ａ，１ｂ以外の他のリモコン装置が熱源機本体１０に接続されていれば、それら他のリモコン装置は熱源機本体１０から取外しておくのが好ましい）、その場合には、旧リモコン装置１ｂから送信される上記応答信号はリモコン装置の接続の有無だけを確認できれば足りる。しかしながら、データ転送時に上記他のリモコン装置が熱源機本体１０に接続されたままの状態では、単にリモコン装置の接続の有無を示すだけの応答信号では、データ転送を行う旧リモコン装置１ｂが接続されているか判断できないので、このような事態を想定すれば、上記応答信号にリモコン装置の機種や型式を特定できる識別信号を含めておくのが好ましい。
【００３７】
そして、新リモコン装置１ａは、旧リモコン装置１ｂからの上記応答信号によって旧リモコン装置１ｂの接続を確認すると、次に、図３ステップＳ２に進み、表示手段４にデータの転送を開始するか否かの確認を求める画面（転送開始確認要求画面）を表示させる。一方、旧リモコン装置１ｂの接続が確認できない場合には、新リモコン装置１ａの制御手段３は、データ転送処理を終了する。なお、上記転送開始確認要求画面は、単に転送開始の確認を求める画面で構成されるが、この画面を表示する際に、たとえば上記応答信号中に上記識別信号が含まれている場合には、旧リモコン装置の機種や型式などを併せて表示するように構成される。
【００３８】
そして、上記転送開始確認要求画面を表示すると、次に、新リモコン装置１ａの制御手段３は、図３ステップＳ３に進み、データの転送開始が選択されたか否かの判断を行う。この判断は、上記操作手段６による所定操作の有無により判断される。具体的には、操作手段６の所定操作により転送開始が選択された場合には、新リモコン装置１ａの制御手段は、図３ステップＳ４に進み、旧リモコン装置１ｂに対して不揮発性の記憶領域（記憶手段６）に記憶されたデータの転送要求を送信し、この送信要求に応じて旧リモコン装置１ｂから送信されるデータを受信して一次記憶領域である上記ＲＡＭ３３に記憶する。
【００３９】
なお、旧リモコン装置１ｂから新リモコン装置１ａに対してデータ転送中は、新リモコン装置１ａおよび旧リモコン装置１ｂの少なくともいずれか一方または双方の制御手段３が、各自の表示手段４に対してデータ転送中である旨を表示し、また、同様にデータ転送完了時はデータ転送が完了した旨を表示するように制御手段３をプログラミングしておくのが好ましい。
【００４０】
一方、データの転送開始が選択されない場合（換言すれば、転送不要が選択されるか、転送の要否が選択されないまま一定時間が経過したような場合）には、データの転送要求は送信せず、データ転送処理を終了する。
【００４１】
そして、旧リモコン装置１ｂから新リモコン装置１ａにデータが転送されると、新リモコン装置１ａは、上記ＲＡＭ３３に記憶されたデータを上記表示手段４に表示させる（図３ステップＳ５参照）。また、その際、転送されたデータの表示とともに、データの修正があるか、データを２次記憶領域である上記記憶手段６に記憶させるかの確認を要求する画面（修正・記憶確認要求画面）も表示する。
【００４２】
上記修正・記憶確認要求画面を表示した後、新リモコン装置１ａの制御手段３は、次に図３ステップＳ６に進み、データの修正がされたか否かの判断を行う。つまり、上記制御手段３は、図３ステップＳ６において上記１次記憶領域であるＲＡＭ３３に記憶されたデータの修正を受け付ける。なお、この判断は、上記操作手段５によりデータの修正を指示する所定の操作が行われたか否かにより判断する。そして、この判断が肯定的な場合には、上記制御手段３は、上記ＲＡＭ３３に記憶されたデータを修正して（図３ステップＳ７参照）、次の図３ステップＳ８に進む。また、否定的な場合にも上記制御手段３は図３ステップＳ８に進む。
【００４３】
そして、図３ステップＳ８では、１次記憶領域であるＲＡＭ３３に記憶されたデータを２次記憶領域である記憶手段６に記憶させるか否かが判断される。なお、この判断も上記操作手段５による所定操作の有無等により判断される。そして、肯定的な操作が行われた場合には、上記制御手段３は上記ＲＡＭ３３に記憶されているデータを記憶手段６に記憶させて（図３ステップＳ９参照）、データ転送処理を終了する。一方、図３ステップＳ８で否定的な操作がなされたか、あるいは操作がないまま一定時間経過すると、上記制御手段３はＲＡＭ３３に記憶されているデータを破棄し（図３ステップＳ１０参照）、データ転送処理を終了する。
【００４４】
このように、本発明によれば、新旧両リモコン装置１ａ，１ｂ間でのデータ転送が、熱源機本体１０を介して新旧両リモコン装置１ａ，１ｂを接続することによって行われるので、リモコン装置間でのデータ転送作業を容易に行うことができる。特に、本発明では、新旧両リモコン装置１ａ，１ｂへの電源供給とデータの転送が２芯の通信ケーブルＬ，Ｌ２を介して同時に行われ、しかも当該ケーブルの接続先が熱源機本体１０のリモコン接続端子１１とされているので、データ転送に先立つケーブル接続作業を極めて容易かつ迅速に行うことができる。
【００４５】
また、データの転送に際しては、新リモコン装置１ａが旧リモコン装置１ｂの存在を確認するように構成されるので、旧リモコン装置１ｂが接続されていない状態で誤ってデータ転送処理が開始されることがない。しかも、新リモコン装置１ａに転送されたデータは、一旦新リモコン装置１ａのＲＡＭ３３（１次記憶領域）に記憶され、その状態で表示や修正等の処理が行われるので、転送されるデータの確認や修正を容易に行うことができる。さらには、転送されたデータを記憶手段６（２次記憶領域）に記憶させる前に、その確認を求める表示や操作が介在するので、不要乃至不適当なデータが誤って新リモコン装置１ａに記憶されることを防止できる。
【００４６】
実施形態２
次に、本発明の第二の実施形態について図４に基づいて説明する。この第二の実施形態は、新旧両リモコン装置１ａ，１ｂ間でのデータ転送手順（つまりは、新リモコン装置１ａの制御構成）を改変したものであって、リモコン装置１のハードウェアの構成（図１参照）ならびにデータ転送時における新旧両リモコン装置１ａ，１ｂの接続状態（図２参照）は実施形態１と同様である。したがって、同一の部位については同一の符号を付して説明を省略する。
【００４７】
具体的には、この第二の実施形態では、リモコン装置間のデータ転送時に、新リモコン装置１ａの制御手段３は、図４のフローチャートに示す手順で旧リモコン装置１ｂからデータの転送を受ける。
【００４８】
すなわち、新旧両リモコン装置１ａ，１ｂを熱源機本体１０に接続することで新リモコン装置１ａに電力が供給されると、新リモコン装置１ａの制御手段３は、上記実施形態１の場合と同様に、熱源機本体１０からの電力供給開始を条件として上記ＲＯＭ３２に記憶されたデータ転送処理用のプログラムを起動し、旧リモコン装置１ｂが存在するか否かを確認する（図４ステップＳ１参照）。
【００４９】
なお、この旧リモコン装置１ｂの確認も上記実施形態１と同様に、新リモコン装置１ａから接続確認信号を出力し、この接続確認信号に対する応答信号に基づいて旧リモコン装置１ｂの接続状況を確認する。
【００５０】
そして、旧リモコン装置１ｂの接続が確認されると、新リモコン装置１ａの制御手段３は、次に、上記応答信号に含まれる識別信号に基づいて旧リモコン装置１ｂの機種や型式などを確認し、接続されている旧リモコン装置１ｂが新リモコン装置１ａと適合するか否かを判断する（図４ステップＳ２参照）。具体的には、たとえば新リモコン装置１ａのＲＯＭ３２などに予め当該リモコン装置と適合するリモコン装置の機種や型式などのデータを記憶させておき、このデータと上記識別信号とを照合することにより適合するか否かを判断する。
【００５１】
そして、旧リモコン装置１ｂが適合すると判断された場合には、図４ステップＳ３に進み、新リモコン装置１ａは旧リモコン装置１ｂに対して旧リモコン装置１ｂの不揮発性の記憶領域（記憶手段６）に記憶されたデータの転送要求を送信し、この送信要求に応じて旧リモコン装置１ｂから送信されるデータを受信して一次記憶領域である上記ＲＡＭ３３に記憶する。
【００５２】
なお、旧リモコン装置１ｂから新リモコン装置１ａに対してデータ転送中は、新リモコン装置１ａおよび旧リモコン装置１ｂの少なくともいずれか一方または双方の制御手段３が、各自の表示手段４に対してデータ転送中である旨を表示し、また、データ転送完了時には同様にデータ転送が完了した旨を表示するように構成されるのが好ましい点は上記実施形態１と同様である。また、図４ステップＳ１において旧リモコン装置１ｂの接続が確認されない場合や、図４ステップＳ２において不適合と判断された場合には、いずれの場合もデータ転送処理が終了する。
【００５３】
このようにして、旧リモコン装置１ｂから新リモコン装置１ａにデータが転送されると、次に、新リモコン装置１ａの制御手段３は、転送したデータの確認画面の表示要求が入力されたか否かを判断する（図４ステップＳ４参照）。この確認画面は、たとえば新リモコン装置１ａの表示手段４におけるデフォルトの表示画面（つまり、給湯設定温度や浴槽の設定水位などを表示する画面）とは別に設定される上記確認専用の画面とされ、たとえば操作手段５の所定操作によって表示手段４に表示されるメンテナンス用の画面のうちの一つとして設定される。したがって、この確認画面が選択されたか否かは、上記操作手段５において上記確認画面の表示を要求する所定操作が行われたか否かにより判断される。
【００５４】
そして、上記確認画面の表示が選択されると、新リモコン装置１ａの制御手段３は、図４ステップＳ５に進み、上記ＲＡＭ３３に記憶されたデータを上記表示手段４に表示させる（図４ステップＳ５−１参照）。なお、この確認画面を表示する際に、転送されたデータの表示とともに、当該データの修正の有無や、データを２次記憶領域である上記記憶手段６に記憶させるか否かの確認を要求する表示をデータの表示と併せて行う点は上記実施形態１と同様である。また、この確認画面表示後の手順（図４ステップＳ６〜Ｓ１０）については、上記実施形態１における図３のステップＳ６〜Ｓ１０と同様であるので説明を省略する。
【００５５】
一方、上記確認画面の表示が選択されない場合には、新リモコン装置１の制御手段３は、図４ステップＳ５−２に進み、データの転送から一定時間が経過したか否かを判断し、一定時間が経過していなければ図４ステップＳ４に戻り、一定時間が経過していれば図４ステップＳ１０に進んで転送されたデータを破棄し、データ転送処理を終了する。なお、この図４ステップＳ５−２における一定時間は、予めデータ転送プログラム上で設定しておくことも可能であるが、操作手段５の操作によって適宜変更可能に構成しておくこともできる。
【００５６】
このように、本発明の第二の実施形態によれば、新旧両リモコン装置１ａ，１ｂを熱源機本体１０に接続し、新リモコン装置１ａに電力供給が開始されると、新リモコン装置１ａは旧リモコン装置１ｂの接続の有無や、適否を自動的に判断して旧リモコン装置１ｂからデータの転送を受けるので、たとえば、リモコン接続端子１１に新旧両リモコン装置１ａ，１ｂ以外の他のリモコン装置が接続されているような場合でも、それらを取り外すことなくデータの転送を行うことができ、しかも、データの転送を行うか否かの確認を求める手順（図３ステップＳ２，Ｓ３参照）が省略されるので、実施形態１の場合に比べ、データ転送作業の手順を簡略化できる。また、図４ステップＳ４で上記確認画面の表示が選択されない場合には、転送されたデータを破棄してデータ転送処理を終了するので、転送されたデータの確認を失念したような場合でも不適切なデータが新リモコン装置１ａの記憶手段６に記憶されることがなく、上記作業手順の省力化による弊害を防止することができる。
【００５７】
なお、上述した実施形態はあくまでも本発明の好適な実施態様を示すものであって、本発明はこれらに限定されることなくその範囲内で種々の設計変更が可能である。
【００５８】
たとえば、上述した実施形態１では、新リモコン装置１ａ側で転送開始確認要求画面を表示し（図３ステップＳ２参照）、これに応じた転送開始（新リモコン装置１ａのＲＡＭ３３へのデータの記憶）の選択も新リモコン装置１ａ側で行わせる（図３ステップＳ３参照）構成を示したが、これらは旧リモコン装置１ｂ側や図示しない他のリモコン装置、さらには熱源機本体１０や熱源機本体１０に接続されるオプション機器（図示せず）に設けられる表示手段や操作手段で行わせることも可能である。つまり、データ転送の開始の決定を新リモコン装置１ａ以外の機器によって行うように構成することも可能である。また、同様に、新リモコン装置１ａのＲＡＭ３３に記憶されたデータを記憶手段６に記憶させるか否かの決定も新リモコン装置１ａ以外の他の機器で行わせることも可能である。
【００５９】
また、上述した実施形態１，２では、図３ステップＳ６，Ｓ７および図４ステップＳ６，Ｓ７において、ＲＡＭ３３に記憶されたデータの修正を受け付ける処理を設けたが、この処理は省略することも可能である。また、この場合、修正受け付けの処理の省略に加えて図３ステップＳ８〜Ｓ１０および図４ステップＳ８〜Ｓ１０において設けられている転送されたデータを記憶手段６に記憶させるか否かの確認を求める手順も省略することも可能である。つまり、旧リモコン装置１ｂから転送されたデータを無条件に記憶手段６に記憶させるように構成することも可能である。
【００６０】
さらに、上述した実施形態１，２では、リモコン装置間のデータ転送に先立ち、新旧両リモコン装置１ａ，１ｂに接続された通信ケーブルＬ，Ｌ２の双方をそれぞれ熱源機本体１０のリモコン接続端子１１に接続する手順を示したが、たとえば、熱源機本体１０のリモコン接続端子１１には一本の通信ケーブル（たとえば通信ケーブルＬ）のみを接続し、この通信ケーブルＬを分岐して、分岐後の通信ケーブルの一方に新リモコン装置１ａを、他方に旧リモコン装置１ｂを接続するといった接続方法を採用することも可能である。
【００６１】
また、上述した実施形態２では、図４ステップＳ４に示すように、転送したデータの確認画面を操作手段５の所定操作によって表示する構成を採用したが、たとえば、この図４ステップＳ４の手順を省略することができる。すなわち、データ転送後（図４ステップＳ３終了後）に、図４ステップＳ５−１に移行して操作手段５の操作の有無にかかわらず自動的に上記確認画面を表示するように構成することも可能である。
【００６２】
また、上述した実施形態では、リモコン装置１を接続するためのリモコン接続端子１１が熱源機本体１０に設けられる構成を示したが、このリモコン接続端子１１は熱源機本体１０とは別体で構成することも可能である。すなわち、熱源機システムの構成によっては、たとえば熱源機本体１０から湯および電力の供給を受けて任意の１または複数の給湯箇所へ所望の温度の温水を供給する温水供給ユニットが熱源機本体１０とは別体に設けられ、当該温水供給ユニットに上記リモコン接続端子１１が設けられる場合がある。そのような場合、本発明は、当該ユニットに設けられたリモコン接続端子１１に新旧両リモコン装置１ａ，１ｂを接続することで実施される。要は、上記リモコン接続端子１１は、上述した実施形態における機能（リモコン装置１に対して電力の供給と新旧両リモコン装置１ａ，１ｂを通信接続する機能）を備えていれば熱源機本体１０以外のユニット等に設けられていてもよい。
【図面の簡単な説明】
【００６３】
【図１】本発明に係るリモコン装置の概略構成を示すブロック図である。
【図２】本発明に係るリモコン装置間データ転送方法を実施する際のリモコン装置相互の接続状態を示す説明図である。
【図３】同リモコン装置間データ転送方法の手順を示すフローチャートである。
【図４】本発明の第二の実施形態におけるリモコン装置間データ転送方法の手順を示すフローチャートである。
【００６４】
１          リモコン装置
２          通信インターフェイス（電源／信号分離手段）
３          制御手段
４          表示手段
５          操作手段
６          記憶手段（不揮発性記憶手段、２次記憶領域）
Ｌ          通信ケーブル
１０        熱源機本体（熱源機）
１１        リモコン接続端子
３１        ＣＰＵ
３２        ＲＯＭ
３３        ＲＡＭ（１次記憶領域）
【図１】
2005326085.tif 000003
【図２】
2005326085.tif 000004
【図３】
2005326085.tif 000005
【図４】
2005326085.tif 000006